(57)【特許請求の範囲】
【請求項１】
第１の映像と、第２の映像と、所定の周期で繰り返し再生されるものであって前記第１の映像と前記第２の映像の間で再生される切替映像とを切り替えて再生する映像再生部と、
切替操作信号を受信する受信部と、
前記受信部にて前記切替操作信号を受信すると、前記切替映像の周期の開始時刻まで待機した後に再生中の前記第１の映像から前記切替映像に切り替えて再生を開始し、当該切替映像を所定期間再生した後、前記第２の映像に切り替えて再生するように前記映像再生部を制御する制御部とを有することを特徴とする映像再生装置。
【請求項２】
前記制御部は、前記切替映像を少なくとも１周期再生するよう前記映像再生部を制御することを特徴とする請求項１に記載の映像再生装置。
【請求項３】
前記映像再生部は、外部の記録媒体に記録された前記第１の映像情報と、前記第２の映像情報と、前記切替映像情報とを読み出して再生することを特徴とする請求項１又は２に記載の映像再生装置。
【請求項４】
第１の映像情報と、第２の映像情報と、所定の周期で繰り返し再生される切替映像情報とを切り替え可能に再生する映像再生部と、
切替操作信号を出力する操作部と、
前記操作部から前記切替操作信号を受信すると、前記周期の開始時刻に合わせて再生中の前記第１の映像情報から前記切替映像に切り替えて１周期分再生した後、前記第２の映像情報に切り替えて再生するように前記映像再生部を制御する制御部とを有することを特徴とする映像再生装置。
【請求項５】
前記制御部は、前記第２の映像情報の再生区間が終了すると、前記第１の映像情報に切り替えて再生することを特徴とする請求項４に記載の映像再生装置。
【請求項６】
前記映像再生部は、外部の記録媒体に記録された前記第１の映像情報と、前記第２の映像情報と、前記切替映像情報とを読み出して再生することを特徴とする請求項４に記載の映像再生装置。
【請求項７】
第１の映像情報を再生する通常映像情報再生ステップと、
前記通常映像情報再生ステップ中に切替操作信号が入力されると、所定の周期で繰り返し再生される切替映像情報の前記周期の開始時刻に合わせて前記第１の映像情報から前記切替映像情報に切り替えて１周期分再生する切替映像情報再生ステップと、
前記切替映像情報再生ステップ終了後に第２の映像情報に切り替えて再生する別視点映像情報再生ステップとを有することを特徴とする映像再生方法。
【発明の詳細な説明】
【技術分野】
【０００１】
本発明は、映像再生装置及び映像再生方法に関する。
【背景技術】
【０００２】
従来の技術として、映像情報を構成するフレームにメニュー画面を割り当てて、メニュー画面における操作に基づいて次に再生する映像情報を選択する映像再生装置がある（例えば、特許文献１参照）。
【０００３】
この映像再生装置は、複数のフレームのいずれかにメニュー画面を割り当てた映像情報を再生する映像再生部と、映像情報再生中にメニュー画面が割り当てられたフレームを検出するメニュー画面割当フレーム検出部と、メニュー画面において選択したフレームを再生するように映像情報再生部に指示する再生フレーム選択部と、利用者の操作に基づいて再生フレーム選択部に選択指示信号を送信する選択指示部とを有し、再生フレーム選択部は、選択内容に基づいて再生するフレームを変更するため、利用者の操作に基づいて再生するフレームの組み合わせが変化し、再生する映像に操作応答性を与えることができる。
【先行技術文献】
【特許文献】
【０００４】
【特許文献１】特開２００２−８４５０７号公報
【発明の概要】
【発明が解決しようとする課題】
【０００５】
しかし、従来の映像再生装置によると、メニュー画面が割り当てられたフレーム以外のフレームにおいては、再生動作中に利用者の操作を反映することができないため、再生映像に対する利用者の操作に柔軟に対応できないという問題がある。
【０００６】
従って、本発明の目的は、再生映像に対応して利用者に操作の機会を与えることができ、操作の結果を再生映像に反映させることができる映像再生装置及び映像再生方法を提供することにある。
【課題を解決するための手段】
【０００７】
本発明は、上記目的を達成するため、第１の映像と、第２の映像と、所定の周期で繰り返し再生されるものであって前記第１の映像と前記第２の映像の間で再生される切替映像とを切り替えて再生する映像再生部と、
切替操作信号を受信する受信部と、
前記受信部にて前記切替操作信号を受信すると、前記切替映像の周期の開始時刻まで待機した後に再生中の前記第１の映像から前記切替映像に切り替えて再生を開始し、当該切替映像を所定期間再生した後、前記第２の映像に切り替えて再生するように前記映像再生部を制御する制御部とを有することを特徴とする映像再生装置を提供する。
【０００８】
上記した構成によれば、切替操作信号に基づいて第１の映像情報から第２の映像情報に再生を切り替える際、切替映像情報を再生するため、切替映像情報に第１の映像情報と第２の映像情報とを連続的に繋げる映像を用いることで、映像に連続性のある視点切替が可能となり、操作応答性を達成できる。
【０００９】
（２）また、本発明は上記目的を達成するため、第１の映像情報と、第２の映像情報と、所定の周期で繰り返し再生される切替映像情報とを切り替え可能に再生する映像再生部と、切替操作信号を出力する操作部と、前記操作部から前記切替操作信号を受信すると、前記周期の開始時刻に合わせて再生中の前記第１の映像情報から前記切替映像に切り替えて１周期分再生した後、前記第２の映像情報を再生するように前記映像再生部を制御する制御部とを有することを特徴とする映像再生装置を提供する。
【００１０】
上記した構成によれば、切替操作信号に基づいて第１の映像情報から第２の映像情報に再生を切り替える際、切替映像情報を再生するため、切替映像情報に第１の映像情報と第２の映像情報とを連続的に繋げる映像を用いることで、映像に連続性のある視点切替が可能となり、操作応答性を達成できる。また、切替映像情報は、所定の周期で繰り返し再生されるため、周期内の時間間隔で切替操作信号に即時性をもって応答することができる。
【００１１】
（３）また、本発明は上記目的を達成するため、第１の映像情報を再生する通常映像情報再生ステップと、前記通常再生ステップ中に切替操作信号が入力されると、所定の周期で繰り返し再生される切替映像情報の前記周期の開始時刻に合わせて前記第１の映像情報から前記切替映像情報に切り替えて１周期分再生する切替映像情報再生ステップと、前記切替映像情報再生ステップ終了後に第２の映像情報を再生する別視点映像情報再生ステップとを有することを特徴とする映像再生方法を提供する。
【００１２】
上記した方法によれば、（２）と同様の効果を有する映像再生方法を達成できる。
【発明の効果】
【００１３】
本発明によれば、再生映像に対応して利用者に操作の機会を与えることができ、操作の結果を再生映像に反映させることができる。
【図面の簡単な説明】
【００１４】
【図１】本発明の実施の形態に係る映像再生システムの一例を示す概略図である。
【図２】本発明の実施の形態に係る映像再生装置の構成例を示すブロック図である。
【図３】本発明の実施の形態に係る映像情報及び操作制御情報の構成例を示す概略図である。
【図４】（ａ）〜（ｅ）は、本発明の実施の形態に係る再生映像の一例を示す概略図である。
【図５】本発明の実施の形態に係る映像再生装置の動作例を示す概略図である。横軸は時間を示すものとする。
【図６】本発明の実施の形態に係る映像再生装置の動作例を示すフローチャートである。
【発明を実施するための形態】
【００１５】
以下に、本発明の映像再生装置及び映像再生方法の実施の形態を、図面を参照して詳細に説明する。
【００１６】
〔実施の形態〕
（映像再生装置の構成）
図１は、本発明の実施の形態に係る映像再生システムの一例を示す概略図である。
【００１７】
映像再生システム１は、ＤＶＤ（Ｄｉｇｉｔａｌ Ｖｅｒｓａｔｉｌｅ Ｄｉｓｃ）等の光学メディアを再生可能な映像再生装置１０と、映像情報が記録されたＤＶＤ等の光学メディア２０と、文字や画像等を表示する液晶表示パネル等からなる表示装置３０とを有する。
【００１８】
映像再生装置１０は、ＣＰＵ（Ｃｅｎｔｒａｌ Ｐｒｏｃｅｓｓｉｎｇ Ｕｎｉｔ）やＨＤＤ（Ｈａｒｄ Ｄｉｓｃ Ｄｒｉｖｅ）等の電子部品を内部に収容しており、光学メディア２０の再生制御が可能である。また、映像再生装置１０は、コントローラ１０Ａによって遠隔操作され、再生、録画等の動作を実行する。
【００１９】
図２は、本発明の実施の形態に係る映像再生装置の構成例を示すブロック図である。
【００２０】
映像再生装置１０は、ＤＶＤ等の光学メディア２０に対して情報の読み出し及び書き込み可能な光学メディアドライブ１１と、光学メディア２０の映像情報２０Ａ、及び操作制御情報２０Ｂを一時的に記憶して各部の処理を補助するメモリ１２と、光学メディア２０の映像情報２０Ａをデコードして再生する映像再生部１３と、それぞれ操作機能を割り当てられた複数のスイッチ群より構成されたコントローラ１０Ａから信号を受信して操作信号を出力する操作部１４と、各部の動作を制御するとともに光学メディア２０の操作制御情報２０Ｂを読み込む映像再生制御プログラム１５Ａを動作させる制御部１５と、ＬＣＤ等の液晶表示パネルである表示装置３０に文字や画像を表示する表示信号を出力する表示出力部１６とを有する。
【００２１】
制御部１５は、操作部１４が出力する操作信号と、操作制御情報２０Ｂとに基づいて映像再生部１３の動作を制御する映像再生制御プログラム１５Ａを動作させる。
【００２２】
図３は、本発明の実施の形態に係る映像情報及び操作制御情報の構成例を示す概略図である。
【００２３】
映像情報２０Ａは、主映像情報である通常再生映像情報２００（第１の映像情報）と、通常再生映像情報２００と並行して再生されて視点を右に移動した右視点映像情報２０１（第２の映像情報）と、通常再生映像情報２００と並行して再生されて視点を左に移動した左視点映像情報２０２と、通常再生映像情報２００から右視点映像情報２０１へ切り替わる際の映像である右視点切替映像情報２０３と、通常再生映像情報２００から左視点映像情報２０２へ切り替わる際の映像である左視点切替映像情報２０４とを有する。
【００２４】
操作制御情報２０Ｂは、通常再生映像情報２００から右視点切替映像情報２０３を経て右視点映像情報２０１に再生を切り替える動作、又は通常再生映像情報２００から左視点切替映像情報２０４を経て左視点映像情報２０２に再生を切り替える動作と、操作部１４が出力する操作信号とを関連づける情報である。
【００２５】
図４（ａ）〜（ｅ）は、本発明の実施の形態に係る再生映像の一例を示す概略図である。
【００２６】
図４（ａ）に示す、再生映像３００ａは、通常再生映像情報２００を映像再生部１３で再生した際に表示装置３０に表示される映像であり、奥行き方向にある階段３００Ｈ及び正面壁３００Ｆを示している映像である。左壁３００Ａには、パネル３００Ｂが設置され、右壁３００Ｃには、写真３００Ｄが設置される。また、下方には床３００Ｇが見え、上方には天井３００Ｅが見える。
【００２７】
図４（ｂ）に示す、再生映像３００ｂは、右視点切替映像情報２０３を映像再生部１３において再生した際に表示装置３０において表示される映像である。後述する再生映像３００ｃに移行する映像である。
【００２８】
図４（ｃ）に示す、再生映像３００ｃは、右視点映像情報２０１を映像再生部１３において再生した際に表示装置３０において表示される映像である。再生映像３００ａに対して右方向に視点を移動した際の映像であり、右壁３００Ｃに設置された写真３００Ｄが見える。
【００２９】
図４（ｄ）に示す、再生映像３００ｄは、左視点切替映像情報２０４を映像再生部１３において再生した際に表示装置３０において表示される映像である。後述する再生映像３００ｅに移行する映像である。
【００３０】
図４（ｅ）に示す、再生映像３００ｅは、左視点映像情報２０２を映像再生部１３において再生した際に表示装置３０において表示される映像である。再生映像３００ａに対して左方向に視点を移動した際の映像であり、左壁３００Ａに設置されたパネル３００Ｂが見える。
【００３１】
（動作）
以下に、本発明の実施の形態における映像再生装置の動作を各図を参照しつつ説明する。
【００３２】
図５は、本発明の実施の形態に係る映像再生装置の動作例を示す概略図である。横軸は時間を示すものとする。
【００３３】
通常再生映像情報２００は、全区間において再生が可能な映像情報であり、右視点映像情報２０１、左視点映像情報２０２、右視点切替映像情報２０３、及び左視点切替映像情報２０４は、時刻ｔ１〜ｔ５の視点切替映像区間において再生が可能な映像情報である。
【００３４】
また、右視点切替映像情報２０３、及び左視点切替映像情報２０４は、それぞれ周期α、及び周期β、例えば、１〜５秒程度の間隔で繰り返し映像が再生される。なお、各周期ごとに映像が異なっていてもよい。また、図５において周期α、βが同一タイミングで繰り返されるものを示したが、切替のタイミングが異なっていても良い。
【００３５】
映像再生部１３において通常再生映像情報２００の再生中（Ｓ１）に、右方向に視点を切り替える操作信号がコントローラ１０Ａによって時刻ｔ２に入力されると、映像再生制御プログラム１５Ａは、操作制御情報２０Ｂに基づき右視点切替映像情報２０３の周期の開始時刻ｔ３まで待機し、視点切替タイミングである時刻ｔ３において映像再生部１３において右視点切替映像情報２０３を再生するように制御する。
【００３６】
次に、映像再生制御プログラム１５Ａは、映像再生部１３において右視点切替映像情報２０３を１周期分再生する（Ｓ２）と、時刻ｔ４に映像再生部１３において右視点映像情報２０１を再生するように制御する。
【００３７】
次に、映像再生制御プログラム１５Ａは、映像再生部１３において右視点映像情報２０１をｔ５まで再生する（Ｓ３）と、視点切替映像区間が終了するため、映像再生部１３において通常再生映像情報２００を再生するように制御する（Ｓ４）。
【００３８】
以上の動作は、図４に示す再生映像３００ａ（Ｓ１）、３００ｂ（Ｓ２）、３００ｃ（Ｓ３）、及び３００ａ（Ｓ４）の順で再生される動作である。
【００３９】
なお、左方向に視点を切り替える操作信号が入力された場合には、上記説明の右視点切替映像情報２０３を左視点切替映像情報２０４に、右視点映像情報２０１を左視点映像情報２０２に置き換えることで説明される。
【００４０】
図６は、本発明の実施の形態に係る映像再生装置の動作例を示すフローチャートである。
【００４１】
まず、映像再生制御プログラム１５Ａは、通常再生映像情報２００を再生する（Ｓ１０）。次に、視点切替映像区間を再生中の場合（Ｓ１１；Ｙｅｓ）であって、操作部１４から視点切替の操作信号が入力された場合（Ｓ１２；Ｙｅｓ）、視点切替タイミングである右視点切替映像２０３（左視点切替映像２０４）の周期開始時刻になると（Ｓ１３；Ｙｅｓ）、右視点切替映像２０３（左視点切替映像２０４）を１周期分再生する（Ｓ１４）。その後、Ｓ１２において入力された操作信号に基づいて右視点映像情報２０１（左視点映像情報２０２）を再生する（Ｓ１５）。
【００４２】
また、視点切替映像区間でない場合（Ｓ１１；Ｎｏ）、及び操作部１４から操作信号が入力されない場合（Ｓ１２；Ｎｏ）、ステップＳ１０に戻る。また、ステップＳ１５の実行後は、ステップＳ１１に戻る。
【００４３】
（実施の形態の効果）
上記した実施の形態によると、操作信号に基づく通常再生映像情報２００と視点映像（右視点映像情報２０１、及び左視点映像情報２０２）との切替再生の際、右視点切替映像情報２０３（左視点切替映像情報２０４）の再生を行うため、単に再生映像の視点切替ではなく利用者の操作に応じて映像に連続性のある視点切替が可能となり、かつ、操作の結果を再生映像に反映させることができる。また、視点切替映像（右視点切替映像情報２０３、及び左視点切替映像情報２０４）は、所定の周期で繰り返し再生されているため、１周期以内の時間間隔で利用者の操作に基づく操作信号に対して即時性をもって応答することができる。
【００４４】
なお、視点切替の方向の一例を左右方向で説明したが、上下方向、斜め方向、及び前後方向においても同様に本発明を適用できる。
【符号の説明】
【００４５】
１…映像再生システム、１０…映像再生装置、１０Ａ…コントローラ、１１…光学メディアドライブ、１２…メモリ、１３…映像再生部、１４…操作部、１５…制御部、１５Ａ…映像再生制御プログラム、１６…表示出力部、２０…光学メディア、２０Ａ…映像情報、２０Ｂ…操作制御情報、３０…表示装置、２００…通常再生映像情報、２０１…右視点映像情報、２０２…左視点映像情報、２０３…右視点切替映像情報、２０４…左視点切替映像情報、３００ａ−３００ｅ…再生映像、３００Ａ…左壁、３００Ｂ…パネル、３００Ｃ…右壁、３００Ｄ…写真、３００Ｅ…天井、３００Ｆ…正面壁、３００Ｇ…床、３００Ｈ…階段
【図１】
0005296179.tif 000002
【図２】
0005296179.tif 000003
【図３】
0005296179.tif 000004
【図４】
0005296179.tif 000005
【図５】
0005296179.tif 000006
【図６】
0005296179.tif 000007